(57)【要約】【課題】確実に器具本体を吊下げて落下を防止することができる照明器具を提供する。【解決手段】器具本体２０を被吊下げ体１２から吊り下げている吊具１１の下端は、脚２１の取付部２２に下方から取り付けられている吊具取付部１３に取り付けられているので、吊具取付部１３が脚２１から脱落した場合でも、脚２１は吊具１１から落下することはない。また、脚２１は器具本体２０内部に設けられている取付ブラケット２０ａの下面に締結されており、器具本体２０を下側から支持することになる。従って、吊具１１下端の吊具取付部１３の上に脚２１が載置され、脚２１の上に本体２０が載置されることになるので、器具本体２０の落下を確実に防止することができる。【選択図】図２
2008277131.tif 000002
【特許請求の範囲】
【請求項１】
器具本体を吊具により被吊下げ体から吊り下げて使用する吊り下げ式の照明器具であって、
前記器具本体から下方両外側に向かって突出する脚を前記器具本体の内部に設けられている取付ブラケットの下面に締結し、前記吊具の下端を止める吊具取付部を前記脚の取付部に下方から取り付けている照明器具。
【請求項２】
前記取付ブラケットは、前記器具本体の上端よりも下方に設けられている請求項１記載の照明器具。
【請求項３】
前記脚内に第1の光源を設けるとともに前記脚内における前記第１の光源の照射方向前方にプレート部を交換可能に設け、
前記プレート部が、当該プレート部の平面部の端部から上方に向かって形成された縦壁部の上端に設けられた折り返し部を、前記脚の底面から上方へ突出して設けられている支持部に嵌合させて取り付けられている請求項1または２記載の照明器具。
【請求項４】
前記吊具が、前記器具本体の両端近傍においてそれぞれ幅方向に２本の線材で構成され、前記２本の線材を２０ｍｍ〜３０ｍｍの間隔で設けるとともに、
前記器具本体の下側に重心が移動可能な第２の光源を設けた請求項1に記載の照明器具。
【請求項５】
前記器具本体側に設けた揺れ止め金具と、この揺れ止め金具を前記被吊下げ体に締結して前記器具本体の揺れを防止する揺れ止め吊具とを設け、
前記揺れ止め金具が外部から視認できない箇所に設けられている請求項1から４のいずれかに記載の照明器具。
【請求項６】
前記揺れ止め金具がカバーで覆われており、前記カバーに打ち抜き形成した開口部を通って前記揺れ止め吊具が設けられている請求項５に記載の照明器具。
【請求項７】
前記ゆれ止め金具が前記プレート部に設けられている請求項１から６のいずれかに記載の照明器具。
【発明の詳細な説明】
【技術分野】
【０００１】
本発明は、照明器具本体を吊り下げて使用する照明器具に関するものである。
【背景技術】
【０００２】
従来より、天井等から吊り下げて使用する吊り下げ型の照明器具が知られている（例えば特許文献１、２参照）。
【０００３】
図７（Ａ）、（Ｂ）に示すように、従来の吊り下げ型の照明器具１００では、器具本体１０１が吊具１０２を用いて天井面１０３から吊り下げられている。器具本体１０１の内部には光源である蛍光灯１０４が設けられており、反射板１０５によって主に下方へ光を照射している。なお、器具本体１０１における蛍光灯１０４の下面には、ルーバー１０６が垂直方向に設けられている。また、器具本体１０１の外側には、ランプカバー１０７が取り付けられている。
【特許文献１】実開昭５９−１５６３０７号公報
【発明の開示】
【発明が解決しようとする課題】
【０００４】
しかしながら、特許文献１に記載の照明器具においては、吊具１０２の先端を取り付ける吊具取付部１０８がランプカバー１０７に取り付けられており、このランプカバー１０７に器具本体１０１がねじ１０９によって取り付けられている。このため、ねじ１０９が緩んだときに、器具本体１０１が脱落して落下するおそれがあるという問題があった。また、ねじ１０９が下方から見えるため、外観の面でも問題があった。
さらに、照明器具１００の両端部を各々１本の吊具（線材）１０２で吊下げているため、重心が移動する光源を設けた場合に、器具本体１０１が傾いたり、左右方向の揺れに弱いという問題があった。
【０００５】
本発明は、従来の問題を解決するためになされたもので、主に、確実に器具本体を吊下げて落下を防止することができる照明器具を提供することを目的とする。
【課題を解決するための手段】
【０００６】
本発明の照明器具は、器具本体を吊具により被吊下げ体から吊り下げて使用する吊り下げ式の照明器具であって、前記器具本体から下方両外側に向かって突出する脚を前記器具本体の内部に設けられている取付ブラケットの下面に締結し、前記吊具の下端を止める吊具取付部を前記脚の取付部に下方から取り付けている構成を有している。
【０００７】
この構成により、器具本体を被吊下げ体から吊り下げている吊具の下端は、脚の取付部に下方から取り付けられている吊具取付部に取り付けられているので、吊具取付部が脚から脱落した場合でも、脚は吊具から落下することはない。また、脚は器具本体内部に設けられている取付ブラケットの下面に締結されており、器具本体を下側から支持することになる。従って、吊具下端の吊具取付部の上に脚が載置され、脚の上に本体が載置されることになるので、器具本体の落下を確実に防止することができる。
【０００８】
また、本発明の照明器具は、前記取付ブラケットは、前記器具本体の上端よりも下方に設けられている構成を有している。
【０００９】
この構成により、脚が取り付けられる取付ブラケットが器具本体の上端よりも一段低く設けられているので、取付ブラケットは外側から見えなくなっている。これにより、照明器具の外観の向上を図ることができる。
【００１０】
また、本発明の照明器具は、前記脚内に第1の光源を設けるとともに前記脚内における前記第１の光源の照射方向前方にプレート部を交換可能に設け、前記プレート部が、当該プレート部の平面部の端部から上方に向かって形成された縦壁部の上端に設けられた折り返し部を、前記脚の底面から上方へ突出して設けられている支持部に嵌合させて取り付けられている構成を有している。
【００１１】
この構成により、脚内に設けられている第１の光源の前方に設けられているプレート部を交換することにより、配光形状を容易に選択することができる。また、プレート部の両端に設けられている縦壁部の上端に設けられている折り返し部を、脚の底面から上方に突出して設けられている支持部に嵌合させることによりプレート部を脚に取り付けているので、プレート部は脚の上に載置した状態となる。このため、プレート部は確実に脚に保持されることになり、プレート部の落下を確実に防止することができる。
【００１２】
さらに、本発明の照明器具は、前記吊具が、前記器具本体の両端近傍においてそれぞれ幅方向に２本の線材で構成され、前記２本の線材を２０ｍｍ〜３０ｍｍの間隔で設けるとともに、前記器具本体の下側に重心が移動可能な第２の光源を設けた構成を有している。
【００１３】
この構成により、器具本体の幅方向に２本の線材を吊具として設けたので、第２の光源が移動して重心位置が変化しても、幅方向の揺れや傾きを防止することができる。また、２本の線材の間隔が２０ｍｍ〜３０ｍｍと小さいので、外観上は１本の線材に近く、外観を損ねない。また、第２の光源を設けたので、配光形状を容易に変化させることができる。
【００１４】
さらに、本発明の照明器具は、前記器具本体側に設けた揺れ止め金具と、この揺れ止め金具を前記被吊下げ体に締結して前記器具本体の揺れを防止する揺れ止め吊具とを設け、  前記揺れ止め金具が外部から視認できない箇所に設けられている構成を有している。
【００１５】
この構成により、器具本体側に設けて揺れ止め吊具の先端を係止する揺れ止め金具を、器具本体側の外部から視認できない箇所に設けたので、外観を向上させることができる。
【００１６】
さらに、本発明の照明器具は、前記揺れ止め金具がカバーで覆われており、前記カバーに打ち抜き形成した開口部を通って前記揺れ止め吊具が設けられている構成を有している。
【００１７】
この構成により、揺れ止め吊具を係止する揺れ止め金具をカバーで覆い、カバーに設けた開口部を通って揺れ止め吊具を設けたので、揺れ止め金具や揺れ止め吊具の取付部を隠すことができ、外観を向上させることができる。
【００１８】
さらに、本発明の照明器具は、前記揺れ止め金具が前記プレート部に設けられている構成を有している。
【００１９】
この構成により、照明器具の先端に取り付けられているプレート部に揺れ止め金具を設けたので、左右方向の揺れを有効に抑制することができる。
【発明の効果】
【００２０】
本発明は、器具本体を被吊下げ体から吊り下げている吊具の下端は、脚の取付部に下方から取り付けられている吊具取付部に取り付けられているので、吊具取付部が脚から脱落した場合でも、脚は吊具から落下することはない。また、脚は器具本体内部に設けられている取付ブラケットの下面に締結されており、器具本体を下側から支持することになる。従って、吊具下端の吊具取付部の上に脚が載置され、脚の上に本体が載置されることになるので、器具本体の落下を確実に防止することができるという効果を有する照明器具を提供することができるものである。
【発明を実施するための最良の形態】
【００２１】
以下、本発明の実施の形態の照明器具について、図面を用いて説明する。
図１は本発明の第１の実施の形態にかかる照明器具を下方から見た斜視図、図２は照明器具の断面図、図３は吊具取付部の拡大断面図、図４は照明器具の端部を上方から見た斜視図、図５はプレート部の内面を示す斜視図、図６は揺れ止め吊具を示す正面図である。
【００２２】
図１〜図４に示すように、本発明の照明器具１０は、器具本体２０を吊具１１により被吊下げ体である天井１２から吊り下げて使用するものである。器具本体２０は例えば矩形箱状の部材であり、少なくとも器具本体２０の前後両端部には、下方両外側に向かって脚２１が突出して設けられている。図３に示すように、器具本体２０の左右の内面には、上端部から一段下がった位置において内側に突出して取付ブラケット２０ａが設けられており、この取付ブラケット２０ａの下面に下方から脚２１の天板２２がねじ２０ｂによって取り付けられている。さらに、脚２１の取付部である天板２２の下面には、吊具１１を構成するワイヤ１１ａの下端に取り付けられている棒状のストッパ１１ｂを止める吊具取付部である吊具取付金具１３が取り付けられており、天板２２に設けられているストッパ突起２２ａによって落下防止されている。
【００２３】
図３に示すように、吊具取付金具１３は、例えば金属製の幅細の板状部材を曲げ加工して形成されており、直線状のベース部１３ａの両端に一対の円弧部１３ｂ、１３ｂを有している。円弧部１３ｂの頂点には、吊具１１のワイヤ１１ａを通す貫通穴１３ｃが設けられている。ベース部１３ａは脚２１の天板２２の下面に当接し、円弧部１３ｂは脚２１の天板２２に所定間隔で設けられている一対の切欠き２２ｂ、２２ｂから上方へ突出して取り付けられる。
【００２４】
この構成により、器具本体２０を天井１２から吊り下げている吊具１１の下端は、脚２１の下方から取り付けられている吊具取付金具１３に取り付けられているので、吊具取付金具１３が脚２１から脱落した場合でも、脚２１は吊具１１から落下することはない。また、脚２１は器具本体２０内部に設けられている取付ブラケット２０ａの下面に締結されており、器具本体２０を下側から支持することになる。従って、吊具１１下端の吊具取付金具１３の上に脚２１が載置され、脚２１の上に器具本体２０が載置されることになるので、器具本体２０の落下を確実に防止することができる。
また、脚２１が取り付けられる取付ブラケット２０ａが器具本体２０の上端よりも一段低く設けられているので、取付ブラケット２０ａは外側から見えなくなっている。これにより、照明器具１０の外観の向上を図ることができる。
【００２５】
図２に示すように、脚２１は、下方両外側に傾斜した矩形箱状の一対の支持部２１ａ、２１ａと、各支持部２１ａの先端に設けられた三角形状の収容部２１ｂを有しており、各収容部２１ｂの底面は水平に形成されている。脚２１の先端で収容部２１ｂの底面の外側端は、曲げ上げられて支持部である外ガイドレール２１ｄが形成されている。また、収容部２１ｂの底面の中央側端には、支持部である内ガイドレール２１ｅが設けられている。なお、外観を向上させるために、脚２１の端面は器具本体２０の端面に設けられているエンドプレート２７（図１参照）と同一面に位置するように設けるのが望ましい。
【００２６】
脚２１の収容部２１ｂには、第１の光源である蛍光灯２３の両端部を保持するとともに電源と導通させるためのソケット２４が取り付けられており、蛍光灯２３が器具本体２０に沿って交換可能に取り付けられている。収容部２１ｂにおける蛍光灯２３の外側には、反射板２６が蛍光灯２３に沿って設けられており、蛍光灯２３から照射される光を下方へ反射するようになっている。反射板２６は、脚２１に設けられているリブ２１ｃにねじ２６ａによって取り付けられている。
【００２７】
また、脚２１における蛍光灯２３の照射方向前方（図２において下方）には、プレート部３０が交換可能に設けられている。プレート部３０として、例えば、光を透過させない不透過材や、所定間隔で板材を取り付け主に下方に光を照射するルーバーや、金属板に所望の穴や形状を打ち抜いたパンチングメタル等を取り付けることができる。従って、例えば、間接照明が必要な場合には不透過材を取り付け、下方への照度が必要な場合にはルーバーを取り付け、あるいは輝度を落としつつ明るさが必要な場合にはパンチングメタルを取り付けること等を選択するができ、配光形状を選択することができる。
【００２８】
図２および図５に示すように、プレート部３０は、平面部３０ａと、平面部３０ａの両端部を曲げあげた縦壁部３０ｂと、縦壁部３０ｂの先端をＣ字形状に折り返した折り返し部３０ｃを有している。従って、プレート部３０の長手方向端部の折り返し部３０ｃ、３０ｃを、脚２１の外ガイドレール２１ｄおよび内ガイドレール２１ｅの長手方向端部に上側から引っ掛けて、スライドさせることにより、プレート部３０を脚２１の下端部に容易に取り付けることができる。
【００２９】
また、プレート部３０の両端に設けられている縦壁部３０ｂ、３０ｂの上端に設けられている折り返し部３０ｃを、脚２１の底面から上方に突出して設けられているガイドレール２１ｄ、２１ｅに上方から嵌合させることによりプレート部３０を脚に取り付けることになるので、プレート部３０は脚２１の上に載置した状態となる。このため、プレート部３０は確実に脚２１に保持されることになり、プレート部３０の落下を確実に防止することができる。また、プレート部３０には中央側の縦壁部３０ｂ内面に取付台３０ｄを設けておき、脚２１の内ガイドレール２１ｅにねじ３０ｅで固定する。これにより、脱落を防止するとともに、取付部を見えにくくして外観を改善することができる。
【００３０】
また、図２および図４に示すように、脚２１の少なくとも外側の傾斜面２１ｇ、特に下端部すなわち反射板２６の外側には、第２のプレート部３４が取り付けられている。第２のプレート部３４としては、遮光版を用いることができる。第２のプレート部３４には取付部３４ａを設けておき、脚２１に設けられているリブ２１ｃにねじ３４ｂで取り付ける。
【００３１】
図１および図２に示すように、器具本体２０の下面である底板２５には配線ダクト４０が設けられており、この配線ダクト４０には第２の光源であるスポットライト４１が移動可能かつ回転可能に設けられている。このようにスポットライト４１を設けることにより、間接照明だが下方への光束を得たり、任意の方向を照射したりすることで、配光形状の選択幅を広げることができる。
【００３２】
配線ダクト４０は下面の中央部が長手方向に沿って開口した断面Ｃ字形状の柱状部材であり、内部には移動するスポットライト４１に電源を供給するために一対の端子４０ａを長手方向にそって有している。スポットライト４１は、電球４１ｄを内部に有する灯体４１ａと、この灯体４１ａを下端に支持するアーム４１ｂを有しており、アーム４１ｂの上端には、配線ダクト４０に沿って移動するとともに、配線ダクト４０から電源を供給されるスライダ４１ｃが設けられている。なお、灯体４１ａは、アーム４１ｂを中心として回転可能となっており、照射方向を容易に変えることができるようになっている。
【００３３】
なお、図１および図２に示すように、器具本体２０の両端部付近において器具本体２０を吊下げている吊具１１の２本のワイヤ１１ａ、１１ａは、間隔Ｄが２０ｍｍ〜３０ｍｍとなるように設けるのが望ましい。また、ワイヤ１１ａは、各々別個に長さ調整可能となっている。
このようにワイヤ１１ａを設けることにより、スポットライト４１の回転によって重心の移動が生じても、器具本体２０の幅方向の揺れや傾きを防止することができる。また、２本の線材の間隔が２０ｍｍ〜３０ｍｍと小さいので、外観上は１本の線材に近く、外観を損ねない。
【００３４】
図４および図５に示すように、器具本体２０の左右の揺れを防止するための揺れ止め金具３５および揺れ止め吊具１４を設けるのが望ましい。揺れ止め金具３５を取り付ける器具本体２０側としては、プレート部３０の平面部３０ａの内面（上面）が望ましい。これにより、揺れ止め金具３５はプレート部３０によって下面からは視認できない。また、揺れ止め金具３５の上方は脚２１に取り付けられているカバーとなる第２のプレート部３４によって覆われているので、揺れ止め金具３５は外部から視認できない箇所に取り付けられることになる。これにより、外観の向上を図っている。
【００３５】
図５に示すように、揺れ止め金具３５は、矩形状の板材の中央部に貫通穴３５ａを設けて形成されている。また、図４および図６に示すように、揺れ止め金具３５に対応して、第２のプレート部３４に開口部である切欠き３４ｃが設けられており、この切欠き３４ｃから脚２１の収容部２１ｂに挿通される揺れ止め吊具１４の一端が揺れ止め金具３５に取り付けられる。揺れ止め吊具１４の他端は天井１２等に取り付けられており、一対の揺れ止め金具３５の間隔よりも、天井１２に取り付けられている間隔のほうが大きくなっている。このため、揺れ止め吊具１４は照明器具１０の左右両端部を上方外側に向かって支持することになるので、従来のように幅の狭い器具本体に揺れ止め金具３５を設けた場合に比して、器具本体２０が揺れるのを効果的に防止することができる。
【００３６】
なお、本発明の照明器具１０は、前述した実施形態に限定されるものでなく、適宜な変形，改良等が可能である。
例えば、前述した実施形態において、吊具１１としてワイヤ１１ａを用いた場合について例示したが、吊具１１として、伸縮および固定可能で長さ調整可能な棒状部材等を用いることもできる。
また、前述した実施形態においては、器具本体２０を細長い矩形箱状とし、プレート３０を長方形状とし、蛍光灯２３を直管とした場合について説明したが、形状はこれに限るものではない。例えば、円形およびリング状とすることもできる。
【産業上の利用可能性】
【００３７】
以上のように、本発明にかかる照明器具は、器具本体を被吊下げ体から吊り下げている吊具の下端は、脚の取付部に下方から取り付けられている吊具取付部に取り付けられているので、吊具取付部が脚から脱落した場合でも、脚は吊具から落下することはない。また、脚は器具本体内部に設けられている取付ブラケットの下面に締結されており、器具本体を下側から支持することになる。従って、吊具下端の吊具取付部の上に脚が載置され、脚の上に本体が載置されることになるので、器具本体の落下を確実に防止することができるという効果を有し、照明器具本体を吊り下げて使用する照明器具等として有用である。
【図面の簡単な説明】
【００３８】
【図１】本発明の第１の実施の形態にかかる照明器具を下方から見た斜視図
【図２】照明器具の断面図
【図３】吊具取付部の拡大断面図
【図４】照明器具の端部を上方から見た斜視図
【図５】プレート部の内面を示す斜視図
【図６】揺れ止め吊具を示す正面図
【図７】（Ａ）は従来の吊下げ型照明器具の横断面図、（Ｂ）は同じく縦断面図
【符号の説明】
【００３９】
１０  照明器具
１１  吊具
１１ａ  ワイヤ（線材）
１２  天井（被吊下げ体）
１３  吊具取付金具（吊具取付部）
１４  揺れ止め吊具
２０  器具本体
２０ａ  取付ブラケット
２１  脚
２１ｄ  外ガイドレール（支持部）
２１ｅ  内ガイドレール（支持部）
２２  天板（取付部）
２３  蛍光灯（第1の光源）
３０  プレート部
３０ａ  平面部
３０ｂ  縦壁部
３０ｃ  折り返し部
３４  第２のプレート部（カバー）
３４ｃ  切欠き（開口部）
３５  揺れ止め金具
４１  スポットライト（第２の光源）
【図１】
2008277131.tif 000003
【図２】
2008277131.tif 000004
【図３】
2008277131.tif 000005
【図４】
2008277131.tif 000006
【図５】
2008277131.tif 000007
【図６】
2008277131.tif 000008
【図７】
2008277131.tif 000009